(57)【要約】【課題】ディスクプレーヤのスピンドルモータ等の目的に利用される直流ブラシモータの取付け構造において、中心位置が確実に位置決めされるとともに、ロータシャフトの傾き調整が確実に行なわれるようにした直流ブラシモータの取付け構造を提供する。【解決手段】カップ状をなすハウジング８０の底部を閉塞する蓋板を兼ねる取付け板９１の中心部に下側の軸受８４を受入れる凹部９５を形成し、この凹部９５の外周部をシャーシ５５の位置決め孔９８に嵌合させて中心の位置決めを行なう。また取付け板９１に外周側に延出するように形成されている３本のアーム９２をシャーシ５５の位置決め用突部９９にビス１０１によって固定することにより、このモータの取付けを行なうとともに、アーム９２の中間位置の屈曲部９４の屈曲度合いを調整することによって、ロータシャフト８２の軸の垂直度を出すようにする。【選択図】図１３
2007336699.tif 000002
【特許請求の範囲】
【請求項１】
ほぼカップ状をなすハウジングと、
前記ハウジングの開口を閉塞する蓋体を兼用するとともに、このモータを所定の位置に取付ける取付け板と、
前記取付け板のほぼ中央部に設けられ、ハウジング内に配されるロータシャフトの一方の軸受が嵌着される凹部と、
前記取付け板の外周側に半径方向に突出して形成され、被取付け部材に固着されるアームと、
を具備する直流モータ。
【請求項２】
前記アームの長さ方向の中間位置が屈曲されるとともに、該アームの屈曲量によって前記ロータシャフトの傾きが補正されることを特徴とする請求項１に記載の直流モータ。
【請求項３】
前記ロータシャフトに整流子が取付けられるとともに、前記ロータシャフトが長さ方向の両端でそれぞれ軸受により回転可能に支持され、一方の軸受が前記取付け板に取付けられるとともに、他方の軸受がハウジングに取付けられることを特徴とする請求項１に記載の直流モータ。
【請求項４】
このモータを取付けるシャーシの取付け位置のほぼ中央部に開口または凹部が形成され、前記取付け板の凹部の外周部が前記シャーシの開口または凹部に嵌合されて中心部の位置決めがなされることを特徴とする請求項１に記載の直流モータ。
【請求項５】
前記取付け板の凹部の外周部であって先端側が傾斜面から構成されることを特徴とする請求項４に記載の直流モータ。
【請求項６】
長さ方向の両端がそれぞれ軸受によって支持されるロータシャフトを有し、該ロータシャフトの両端の軸受間にロータと整流子とを設けて成る直流モータの取付け構造において、
前記両端の軸受の内の一方がハウジングに取付けられるとともに、他方が前記ハウジングの開口を閉塞する蓋板を兼用する取付け板に取付けられ、しかも前記取付け板に半径方向外周側に突出するように連設されているアームをシャーシの取付け位置に取付けるようにしたことを特徴とする直流モータの取付け構造。
【請求項７】
前記一方の軸受がハウジングの中心孔に嵌着されるとともに、前記他方の軸受が前記取付け板の凹部に嵌着されることを特徴とする請求項６に記載の直流モータの取付け構造。
【請求項８】
前記ロータシャフトの傾きを補正するように前記アームの中間位置が屈曲された状態でシャーシの取付け位置に取付けられることを特徴とする請求項６に記載の直流モータの取付け構造。
【請求項９】
前記シャーシの取付け位置が突部から構成され、該突部の突出量によって高さ調整がなされることを特徴とする請求項６に記載の直流モータの取付け構造。
【請求項１０】
前記直流モータがディスク状記録媒体を直接駆動するスピンドルモータであることを特徴とする請求項６に記載の直流モータの取付け構造。
【発明の詳細な説明】
【技術分野】
【０００１】
本発明は直流モータおよびその取付け構造に係り、とくにロータコイルに対する電流の切換えを整流子によって行なうようにしたブラシモータから成る直流モータとその取付け構造に関する。
【背景技術】
【０００２】
例えばＣＤ（Ｃｏｍｐａｃｔ  ｄｉｓｃ）等の光ディスクに記録されている信号を再生したり信号を記録したりする場合には、上記光ディスクをターンテーブルおよびスピンドルモータによって回転駆動するとともに、上記光ディスクに対して半径方向に移動可能な光ピックアップによって信号の読出しあるいは書込みを行なう。
【０００３】
このような光ディスクの回転駆動のために、例えば実公平５−２１９８０号公報に開示されているような直流ブラシレスモータを用いるようにしていた。このようなブラシレスモータの取付け構造は、例えば図１６に示される。ブラシレスモータは取付け板７１を備え、この取付け板７１上にステータコイル７２が配される。そして取付け板７１上のコイル７２間の中央部には軸受７３が固着される。軸受７３にはロータシャフト７４が回転可能に支持される。またロータシャフト７４にはロータヨーク７５が固着されるとともに、このロータヨーク７５の内周側の部分にマグネット７６が固着されるようになっている。そして取付け板７１をビス等によってシャーシ７７の上面に固定するようにしている。
【０００４】
このように底面の取付け板７１に軸受７３が設けられ、この取付け板７１をその下側のシャーシ７７に取付ける構造は、従来より採用されていた。すなわち一般に図１６に示すようなブラシレスモータは、マグネット７６の回転位置を磁気センサによって検出し、これに応じてコイル７２に印加される電流の切換えを行なっているために、整流子やブラシを必要とせず、このために下側の軸受７３のみによってロータシャフト７４を回転可能に支持することが可能になり、このために下側の取付け板７１のみを備えればよく、図１６に示すような構造がとり易くなる。
【０００５】
しかるにロータコイルに対する電流の切換えを、整流子とブラシによって行なう直流ブラシモータの場合には、ロータシャフトの両端をそれぞれ軸受によって回転可能に支持する必要があり、上下に分離された軸受を用いなければならないために、図１６に示すような構造を採用することができない。
【０００６】
そこで直流ブラシモータの場合には、例えば図１７に示す取付け構造が採用される。このブラシモータはほぼカップ状をなすハウジング８０を備え、その底部開口を底板８１によって閉塞している。そしてロータシャフト８２の上端と下端をハウジング８０の上面の中央部に取付けられた軸受８３と、底板８１の上面であってそのほぼ中央部に取付けられた下側の軸受８４とによって回転可能に支持している。そしてロータシャフト８２にロータコイル８５を取付けるとともに、このロータコイル８５の外周側には、ハウジング８０の内周面に取付けられた状態でマグネット８６を固定配置するようにしている。
【０００７】
ロータシャフト８２に取付けられたロータコイル８５に対する電流の切換えは、整流子８７とブラシ８８とによって行なわれるようになっており、ロータシャフト８２とともにロータコイル８５が回転されると、その回転に応じて整流子８７とブラシ８８とによって、ロータコイル８５の電流の切換えが行なわれる。そしてこのようなモータの取付けは、ハウジング８０の上面をシャーシ８９にビスによって取付けるようにしている。
【０００８】
図１７の構成は、上側に位置するシャーシ８９に対して直接ブラシモータを取付けるものであるが、下側のシャーシ８９に取付ける場合には、例えば図１８に示す構成をとらなければならない。すなわち上面に取付け板９１を備えたブラシモータの場合には、下側に位置するシャーシ８９から取付けボス９０を立設し、この取付けボス９０によって取付け板９１をビスで固定する構造を採用することになる。なお図１８に示すブラシモータの内部構造は、図１７に示すブラシモータの構造と同一である。
【０００９】
このように、図１７あるいは図１８に示すような上面取付けのブラシモータの場合には、これを下側のシャーシに取付ける場合には図１８に示すように、取付けボス９０を介して支持する必要があり、このために部品点数が増加してコストアップになる。さらにこのような取付け構造は、シャーシ８９に対するモータの取付け精度が出ない欠点がある。また通常のブラシモータは、図１７に示すような上側への取付けのみを考えているために、吊下げ型の取付けが一般的である。ここでロータシャフト８２の倒れは、ハウジング８０を基準に管理されているために、図１８に示すような取付け板９１と取付けボス９０とを用いて取付ける構造にすると、下側のシャーシ８９に対するロータシャフト８２の垂直度を正確に管理することができない欠点がある。
【特許文献１】実公平５−２１９８０号公報
【特許文献２】実開平２−６５０７０号公報
【発明の開示】
【発明が解決しようとする課題】
【００１０】
本願発明の課題は、取付けボス等の取付け部品を必要とせず、これによって部品点数を削減できるようにした直流モータおよびその取付け構造を提供することである。
【００１１】
本願発明の別の課題は、モータの軸の位置を正確に位置決めすることができ、精度を高めることが可能な直流モータおよびその取付け構造を提供することである。
【００１２】
本願発明のさらに別の課題は、モータが組立てられた後においても、軸の垂直度が容易に調整することができ、組立て精度を高めることが可能な直流モータおよびその取付け構造を提供することである。
【００１３】
本願発明のさらに別の課題は、安価であってしかも高精度の取付けが可能な直流ブラシモータおよびその取付け構造を提供することである。
【００１４】
本願発明の上記の課題および別の課題は、以下に述べる本願発明の技術的思想、およびその実施の形態によって明らかにされる。
【課題を解決するための手段】
【００１５】
本願の主要な発明は、ほぼカップ状をなすハウジングと、
前記ハウジングの開口を閉塞する蓋体を兼用するとともに、このモータを所定の位置に取付ける取付け板と、
前記取付け板のほぼ中央部に設けられ、ハウジング内に配されるロータシャフトの一方の軸受が嵌着される凹部と、
前記取付け板の外周側に半径方向に突出して形成され、被取付け部材に固着されるアームと、
を具備する直流モータに関するものである。
【００１６】
ここで、前記アームの長さ方向の中間位置が屈曲されるとともに、該アームの屈曲量によって前記ロータシャフトの傾きが補正されてよい。また前記ロータシャフトに整流子が取付けられるとともに、前記ロータシャフトが長さ方向の両端でそれぞれ軸受により回転可能に支持され、一方の軸受が前記取付け板に取付けられるとともに、他方の軸受がハウジングに取付けられてよい。またこのモータを取付けるシャーシの取付け位置のほぼ中央部に開口または凹部が形成され、前記取付け板の凹部の外周部が前記シャーシの開口または凹部に嵌合されて中心部の位置決めがなされてよい。また前記取付け板の凹部の外周部であって先端側が傾斜面から構成されてよい。
【００１７】
取付け構造に関する主要な発明は、長さ方向の両端がそれぞれ軸受によって支持されるロータシャフトを有し、該ロータシャフトの両端の軸受間にロータと整流子とを設けて成る直流モータの取付け構造において、
前記両端の軸受の内の一方がハウジングに取付けられるとともに、他方が前記ハウジングの開口を閉塞する蓋板を兼用する取付け板に取付けられ、しかも前記取付け板に半径方向外周側に突出するように連設されているアームをシャーシの取付け位置に取付けるようにしたことを特徴とする直流モータの取付け構造に関するものである。
【００１８】
ここで、前記一方の軸受がハウジングの中心孔に嵌着されるとともに、前記他方の軸受が前記取付け板の凹部に嵌着されてよい。また前記ロータシャフトの傾きを補正するように前記アームの中間位置が屈曲された状態でシャーシの取付け位置に取付けられてよい。またシャーシの取付け位置が突部から構成され、該突部の突出量によって高さ調整がなされてよい。また前記直流モータがディスク状記録媒体を直接駆動するスピンドルモータであってよい。
【００１９】
本願発明は直流モータおよびその取付け構造に係り、とくにロータコイルの電流の切換えを整流子とブラシとを用いて行なうブラシモータとその取付け構造に関する。従来のこの種のモータは、吊下げ状態で使用することを前提としているために、該モータの上面に取付け用雌ねじ孔が形成されていた。これに対して本願発明においては、下面のシャーシに対するモータの取付け位置を正確に出すことができ、しかもロータシャフトの傾き調整が容易な構造を提供するものである。なお従来も、下側の取付け板に軸受が形成され、この取付け板を下面のシャーシに取付けるものは市場に存在していた。すなわちブラシレスモータは、ブラシや整流子が不要なために、軸受を下側の取付け板のみに取付けることによって、上記の構造を採用することが可能であった。ところがこのような構造は、整流子とブラシとを有する直流ブラシモータに採用することができない。
【００２０】
本願発明の好ましい態様は、ロータシャフトの両端を受けるラジアル軸受がハウジングと下側の取付け板とにそれぞれ分離している構造の直流ブラシモータに関するものであって、ハウジングに上側の軸受が取付けられるとともに、取付け板に下側の軸受を取付けるようにしており、しかもこのモータの中心位置を正確に位置決めするために、軸の中心に対応する凹部を取付け板に設けるようにし、この凹部の外周部によって位置決めを行なうようにしている。またロータシャフトの倒れを調整できるように、取付け板には複数のアームを半径方向外周側に延出し、このアームの中間位置の屈曲を利用してロータシャフトの倒れ精度を出すことを可能にしている。
【００２１】
このような態様によると、低価格な直流ブラシモータを、例えば光ディスクの駆動のためのスピンドルモータとして使うことが可能になり、低コスト化が達成される。また取付けボスや中間の取付け板が不要になり、部品点数が削減される。またモータの軸位置を正確に位置決めすることができるために、精度を改善できるようになる。またモータの組立て後においても、ロータシャフトの軸倒れが容易に出せるようになり、ロータシャフトの軸の垂直度の管理が容易になり、組立て精度が改善されるようになる。
【発明の効果】
【００２２】
本願の主要な発明は、ほぼカップ状をなすハウジングと、ハウジングの開口を閉塞する蓋体を兼用するとともに、このモータを所定の位置に取付ける取付け板と、取付け板のほぼ中央部に設けられ、ハウジング内に配されるロータシャフトの一方の軸受が嵌着される凹部と、取付け板の外周側に半径方向に突出して形成され、被取付け部材に固着されるアームと、を具備するようにしたものである。
【００２３】
従ってこのような取付け構造によると、取付け板をシャーシ等の取付け部材の取付け位置に取付けるだけでよく、このために取付け構造が簡潔になる。また取付けボス等の中間の取付け部材を必要とせず、これによって部品点数が削減できるようになる。
【００２４】
取付け構造に関する主要な発明は、長さ方向の両端がそれぞれ軸受によって支持されるロータシャフトを有し、該ロータシャフトの両端の軸受間にロータと整流子とを設けて成る直流モータの取付け構造において、両端の軸受の内の一方がハウジングに取付けられるとともに、他方がハウジングの開口を閉塞する蓋板を兼用する取付け板に取付けられ、しかも取付け板に半径方向外周側に突出するように連設されているアームをシャーシの取付け位置に取付けるようにしたものである。
【００２５】
従ってこのような直流モータの取付け構造によると、取付け板に連設されているアームをシャーシの取付け位置に取付けることによって、直流モータがシャーシに取付けられることになり、極めて簡潔な取付け構造を提供することが可能になる。
【発明を実施するための最良の形態】
【００２６】
以下本発明を図示の一実施の形態によって説明する。図１は本発明の一実施の形態に係るディスクプレーヤを装着した自動車のインストルメントパネル１０を示している。インストルメントパネル１０の右側の部分であって運転席の前方側の部分にはメータ取付け部１１が設けられ、このメータ取付け部１１にエンジンの回転数を表示する回転計１２、車速を表示する速度計１３、燃料の残量を表示する燃料計１４、エンジンの冷却水の温度を表示する温度計１５等の所要のメータがそれぞれ配置されている。
【００２７】
上記インストルメントパネル１０のメータ取付け部１１の左側であって運転席と助手席の中間と対応する位置にはディスプレイ１８が取付けられている。ディスプレイ１８はカーナビゲーション装置の表示手段を構成している。そしてその下側にコントロールパネル１９が配されており、このコントロールパネル１９によって車両用エアコンの制御を行なうようにしている。コントロールパネル１９の下側にはディスクプレーヤ２０が組込まれており、このディスクプレーヤ２０の上部に設けられている横長のスロット２１を通して光ディスク２２（図２参照）を挿入することによって、この光ディスク２２に書込まれているオーディオ信号を再生し、車内で音楽を聴くことが可能になる。
【００２８】
図２はとくにＣＤ等のディスク状記録媒体を再生するディスクプレーヤ２０を示しており、このディスクプレーヤはそのフロントパネル上であって上記横長のスロット２１の下側に表示部２５が設けられており、この表示部２５によってカーラジオの所定の機能の表示を行なうようにしている。あるいはまた光ディスク２２の挿入動作のために必要な表示が行なわれるようになっている。そして上記表示部２５の下側には操作つまみ２６と操作釦２７とが取付けられている。
【００２９】
図３はとくにディスクプレーヤ２０の全体の構成を示すものであって、このディスクプレーヤ２０はＣＰＵ３１を備え、このＣＰＵ３１にはメモリ３２が接続されている。さらにＣＰＵ３１には入力装置３３が設けられている。この入力装置３３の操作部が上記フロントパネルの操作つまみ２６および操作釦２７である。またこのＣＰＵ３１には再生部３４が設けられ、この再生部３４で光ディスク２２の再生が行なわれる。さらにディスクプレーヤ２０はチェンジャ機構３５を備え、このチェンジャ機構３５によって複数の光ディスク２２の選択を行なうようにしている。
【００３０】
図４は上記ディスクプレーヤ２０の再生部３４の構成を示している。この再生部３４はターンテーブル３７を備え、モータ３８によって直接駆動されるようになっている。そして上記ターンテーブル３７上にスロット２１を通して挿入された光ディスク２２が載置され、回転駆動されるようになっている。またモータ３８はＣＰＵ３９によって制御されるようになっている。上記ＣＰＵ３９にはメモリ４０が接続されている。またこの再生部３４は光ピックアップ４１を備え、この光ピックアップ４１が回転する光ディスク２２に対して半径方向に移動することによって、この光ディスク２２の表面に書込まれた信号を読出すようにしている。光ピックアップ４１で読出された信号はＤＳＰ（Ｄｉｇｉｔａｌ  Ｓｉｇｎａｌ  Ｐｒｏｃｅｓｓｏｒ）４２によって信号処理された後に復調器４３によって復調され、オーディオ出力あるいはビデオ出力として出力機器に供給される。
【００３１】
次にディスクプレーヤ２０に内蔵されているチェンジャ機構３５の構成を図５〜図９によって説明する。チェンジャ機構３５は偏平な直方体状をなすシャーシ４７を備えるとともに、このシャーシ４７上であってフロントパネル側に片寄って上下に６段にトレー４８が載置されており、これによって６枚の光ディスク２２の装着を可能にしている。そしてトレー４８に対して光ディスク２２を挿入する部分に開口が形成されたシャッタ板４９が設けられている。そして上記シャッタ板４９の内側には上下一対のローディングローラ５１、５２が設けられ、これらのローディングローラ５１、５２によって任意のトレー４８に対する光ディスク２２の挿入あるいは光ディスク２２の排出を可能にしている。
【００３２】
またこのチェンジャ機構３５の背面側の部分には支持アーム５５と押えアーム５６とが上下にほぼ重合うように配されている。そして支持アーム５５の先端側の上面にはスピンドルモータ３８およびターンテーブル３７が取付けられるとともに、さらに支持アーム５５上には光ピックアップ４１が載置されており、支持アーム５５の上面においてその長さ方向に移動可能になっている。これに対して押えアーム５６はその先端側の下面にチャック５７を備えている。チャック５７はターンテーブル３７とともに選択された所定の光ディスク２２を上下から挟着して再生動作を行なうようになっている。
【００３３】
上記支持アーム５５上には、図１０に示すように、光ピックアップ４１の移動機構が設けられている。光ピックアップ４１はガイドバー６０によって光ディスク２２の半径方向に移動可能に支持されている。すなわちこの光ピックアップ４１の筐体に設けられている係合部６１が送りねじ６２に係合される。そして送りねじ６２にはその端部にねじ歯車６３が固着され、このねじ歯車６３が別のねじ歯車６４に係合されている。そしてねじ歯車６４が駆動軸６５によってウオームホイール６６と結合されている。ウオームホイール６６はウオーム６７と噛合っている。そしてこのウオーム６７が送りモータ６８の出力軸に固着されている。
【００３４】
上記チェンジャ機構３５の動作の概略を説明する。トレー４８に対して光ディスク２２を挿入する場合およびトレー４８から光ディスク２２を排出する場合には、図７に示すように支持アーム５５と押えアーム５６とが光ディスク２２の収納空間に対して背面側に退避している。このような状態で、シャーシ４７の両側に設けられているカム機構によって所定のトレー４８がスロット２１と対応する位置に昇降動作させる。
【００３５】
このような状態で表示部２５が挿入可能な表示を行なうと、ユーザーが光ディスク２２をスロット２１を通して上下一対のローディングローラ５１、５２間に図６に示すように挿入する。するとローディングローラ５1 、５２が光ディスク２２を引込むように回転し、これによって所定のトレー、例えば図６に示すように上から２番目のトレー４８上に光ディスク２２が載置される。このようにして複数段に積重なるように配されているトレー４８の内の任意のトレー上に光ディスク２２を載置することになる。
【００３６】
次に所定の光ディスク２２の再生動作について説明する。このディスクプレーヤ２０の操作釦２７の選択動作によって、シャーシ４７の両側のカム機構によってトレー４８が図８に示すように上下方向に移動されるとともに、所望のトレー４８が再生可能な高さに移動し、これに対してその上側および下側のトレーは再生する光ディスク２２を載置したトレーに対して上下に離間される。このような状態において図９に示すように、支持アーム５５と押えアーム５６とがディスク収納空間側に回動し、選択された光ディスク２２を下側からターンテーブル３７で支えるとともに、押えアーム５６に設けられているチャック５７が光ディスク２２の中心部を上から押える。
【００３７】
このような状態でモータ３８がターンテーブル３７を所定の回転数で駆動するとともに、支持アーム５５上の光ピックアップ４１が光ディスク２２の半径方向に移動されるようになっている。すなわち図１０に示す送りモータ６８が駆動されると、ウオーム６７によってウオームホイール６６が駆動され、このウオームホイール６６が駆動軸６５を介してねじ歯車６４を駆動する。従ってこのねじ歯車６４と噛合っているねじ歯車６３を備える送りねじ６２が回転駆動され、この送りねじ６２に係合する係合部６１を有する光ピックアップ４１がガイドバー６０に沿ってその上を移動することになる。このようにして光ピックアップ４１は、光ディスク２２の半径方向に移動することによって、この光ディスク２２に書込まれている信号を再生する。
【００３８】
次にこのような構成に係るディスクプレーヤのターンテーブル３７を駆動するスピンドルモータ３８の取付け構造を図１１〜図１５によって説明する。このモータの概略を図１１によって説明すると、モータはほぼカップ状をなし、下方が開放されたハウジング８０を備えており、このハウジング８０の下面が蓋体を兼ねる取付け板９１によって閉塞されるようになっている。そしてこのハウジング８０の中心部を上下に貫通するようにロータシャフト８２が配される。ロータシャフト８２は、上下の軸受８３、８４によって回転可能に支持される。ここで上側の軸受８３はハウジング８０の上部であって中心部に形成されている円形孔に嵌着されている。これに対して下側の軸受８４は、取付け板９１のほぼ中央部に形成される凹部９５に嵌着されるようになっている。
【００３９】
このようにして上下の軸受８３、８４によって回転可能に支持されるロータシャフト８２には、磁性鋼板から成るロータコアを介してロータコイル８５が巻装されるとともに、ロータシャフト８２には整流子８７が取付けられる。そして整流子８７がブラシ８８に摺接するようになっている。整流子８７とブラシ８８とによって、回転位置に応じてロータコイル８５の電流の切換えが行なわれる。
【００４０】
次にこのようなモータの取付け構造を説明すると、ハウジング８０の蓋体を兼用する下側の取付け板９１には、例えば１２０度間隔で３本のアーム９２が半径方向外周側に延出されるとともに、これらのアーム９２の先端部にはビス挿通孔９３が形成される。またアーム９２にはその長さ方向の中間位置に屈曲部９４が形成されるようになっている。そしてアーム９２の根元側の部分が、ハウジング８０の外周側であってその下端部に形成された切欠き９６に受入れられる。そしてハウジング８０の下端の開口縁部であって、切欠き９６が形成されない部分が加締められ、これによって取付け板９１がハウジング８０に結合されるようになっている。
【００４１】
このような直流ブラシモータに対して、ブラシ８８および整流子８７を介してロータコイル８５に電流を通ずると、外周側の固定されたマグネット８６によってロータコアが回転力を受け、回転される。しかもロータコイル８５の回転位置に応じて整流子８７とブラシ８８とによって電流の切換えが行なわれるために、円滑な回転駆動が可能になり、直流モータが成立する。
【００４２】
このようなモータ３８は、図１３〜図１５に示すようにして上記支持アーム５５から成る取付けシャーシに取付けられる。すなわち取付けシャーシ５５には、モータ３８の中心位置と対応するように円形の位置決め孔９８が形成され、この位置決め孔９８に上記取付け板９１の中心部に形成された凹部９５の外周部が嵌着されるようになっており、これによってモータ３８の中心部の半径方向の位置決めがなされるようになっている。なお取付け板９１の凹部９５の外周部であってその先端側の部分が図１４に示すように傾斜面になっており、これによってこのモータ３８の組込みの際における凹部９５の外周部とシャーシ５５の位置決め孔９８との位置決めを円滑に行なうようにしている。
【００４３】
また取付け板９１に外周側に延出するように形成されているアーム９２の先端側の部分を、図１５に示すように、シャーシ５５に形成されている突部９９にビス１０１で固定するようにしている。シャーシ５５の突部９９によって、このモータの高さ方向の位置を調整するようにしている。突部９９の突出量Ｈ（図１５参照）が、モータ３８の高さ調整のために用いられる。そしてアーム９２のビス挿通孔９３を通して挿通されるビス１０１をシャーシ５５のねじ孔１００に螺着することによって、アーム９２がシャーシ５５に固着されるようになる。
【００４４】
とくにアーム９２には、そのビス挿通孔９３よりも根元側であって長さ方向の中間位置に屈曲部９４が形成され、この屈曲部９４の屈曲量を調整することによって、このモータ３８の傾き、とくにロータシャフト８２の垂直度を調整できるようにしている。すなわち個々のモータ３８について、それぞれアーム９２の屈曲部９４の屈曲の度合いを調整するようにしており、これによってモータ３８の傾き調整が行なわれることになる。
【００４５】
このように本実施の形態のモータ３８は、ラジアル軸受８３、８４がハウジング８０と取付け板９１とにそれぞれ分離して配される構造のブラシモータに関するものである。上側の軸受８３がハウジング８０の中心孔に取付けられ、下側の軸受８４が取付け板９１に取付けられる構造である。そしてこのモータ３８を正確にシャーシ５５に取付けるために、取付け板９１に凹部９５が形成され、この凹部９５の外周部を案内部としている。またロータシャフト８２の倒れ調整を行なうように、少くとも平面を構成できる複数のアーム９２を取付け板９１に連設し、この取付け板９１のアーム９２の屈曲部９４の変形を利用して軸倒れを防止している。
【００４６】
直流ブラシモータは、ブラシ８８と摺接する整流子８７をロータシャフト８２の中間位置に設ける必要があるために、ラジアル軸受８３、８４を上下に２つに分けざるを得ない。このために上側の軸受８３が取付けられるハウジング８０と下側の軸受８４が取付けられる取付け板９１の加締めにずれがあると、ロータシャフト８２の倒れが発生する。ハウジング８０によって取付けを行なう場合には、ハウジング８０を取付け板９１に加締めた後のロータシャフト８２の倒れ調整が不可能になる。
【００４７】
本発明は軸受８３、８４が上下に分離しているブラシモータにおいて、取付け板９１にロータシャフト８２の中心位置を規正するための凹部９５を設け、その外周部を位置決めに用いるようにしている。また取付け板９１に３つのアーム９２を延出し、これらのアーム９２の傾きを調整することによって、ロータシャフト８２の倒れ精度を出すようにしている。
【００４８】
このような構造によると、スピンドルモータ３８として低価格な直流ブラシモータが使えるようになり、これによってディスクプレーヤのコストの低減が図られる。またモータ３８の取付けのための取付けボスや中間の取付けシャーシが不要になり、部品点数が削減される。またモータの中心位置を正確に位置決めすることによって、精度を上げることが可能になる。またモータを組立てた後においても、ロータシャフト８２の軸の倒れを、アーム９２の屈曲部９４の屈曲量の調整によって調整できるために、組立て精度がさらに向上する。
【００４９】
以上本願発明を図示の実施の形態によって説明したが、本願発明は上記実施の形態によって限定されることなく、本願発明の技術的思想の範囲内において各種の変更が可能である。例えば上記実施の形態は、チェンジャ付きのディスクプレーヤのスピンドルモータおよびその取付け構造に関するものであるが、本願発明はその他各種のスピンドルモータや、他の目的に供される直流モータおよびその取付けに利用することが可能である。
【産業上の利用可能性】
【００５０】
本願発明は、ディスクプレーヤのスピンドルモータの取付けに利用することが可能である。
【図面の簡単な説明】
【００５１】
【図１】ディスクプレーヤを組込んだ自動車のインストルメントパネルの正面図である。
【図２】ディスクプレーヤの要部斜視図である。
【図３】ディスクプレーヤのシステム構成を示すブロック図である。
【図４】ディスクプレーヤの再生部のシステム構成を示すブロック図である。
【図５】ディスクプレーヤのチェンジャ機構の要部斜視図である。
【図６】同チェンジャ機構の要部縦断面図である。
【図７】チェンジャ機構の内部を示す要部平面図である。
【図８】演奏状態におけるチェンジャ機構の縦断面図である。
【図９】同要部平面図である。
【図１０】スピンドルモータと光ピックアップとを搭載した支持アームから成るシャーシの平面図である。
【図１１】スピンドルモータの縦断面図である。
【図１２】同スピンドルモータのハウジングの分解斜視図である。
【図１３】スピンドルモータの取付け構造を示す要部縦断面図である。
【図１４】スピンドルモータの中心部の位置決めの構造を示す要部拡大断面図である。
【図１５】スピンドルモータのロータシャフトの倒れ防止の機構を兼ねる取付け構造の要部拡大断面図である。
【図１６】従来のブラシモータの取付けを示す要部縦断面図である。
【図１７】従来の直流ブラシモータの取付けを示す要部縦断面図である。
【図１８】従来の直流ブラシモータの下側のシャーシに対する取付けを示す要部縦断面図である。
【符号の説明】
【００５２】
１０‥‥インストルメントパネル、１１‥‥メータ取付け部、１２‥‥回転計、１３‥‥速度計、１４‥‥燃料計、１５‥‥温度計、１８‥‥ディスプレイ、１９‥‥コントロールパネル、２０‥‥ディスクプレーヤ、２１‥‥スロット、２２‥‥光ディスク、２５‥‥表示部、２６‥‥操作つまみ、２７‥‥操作釦、３１‥‥ＣＰＵ、３２‥‥メモリ、３３‥‥入力装置、３４‥‥再生部、３５‥‥チェンジャ機構、３７‥‥ターンテーブル、３８‥‥モータ、３９‥‥ＣＰＵ、４０‥‥メモリ、４１‥‥光ピッアップ、４２‥‥ＤＳＰ、４３‥‥復調器、４７‥‥シャーシ、４８‥‥トレー、４９‥‥シャッタ板、５１‥‥ローディングローラ（上）、５２‥‥ローディングローラ（下）、５５‥‥支持アーム、５６‥‥押えアーム、５７‥‥チャック、５８…回動支軸、６０…ガイドバー、６１…係合部、６２…送りねじ、６３、６４…ねじ歯車、６５…駆動軸、６６…ウオームホイール、６７…ウオーム、６８…送りモータ、７１…取付け板、７２…コイル、７３…軸受、７４…ロータシャフト、７５…ロータヨーク、７６…マグネット、７７…シャーシ、８０…ハウジング、８１…底板、８２…ロータシャフト、８３…軸受（上）、８４…軸受（下）、８５…ロータコイル、８６…マグネット、８７…整流子、８８…ブラシ、８９…シャーシ、９０…取付けボス、９１…取付け板、９２…アーム、９３…ビス挿通孔、９４…屈曲部、９５…凹部、９６…切欠き、９８…位置決め孔、９９…突部、１００…ねじ孔、１０１…ビス、１０２…傾斜面
【図１】
2007336699.tif 000003
【図２】
2007336699.tif 000004
【図３】
2007336699.tif 000005
【図４】
2007336699.tif 000006
【図５】
2007336699.tif 000007
【図６】
2007336699.tif 000008
【図７】
2007336699.tif 000009
【図８】
2007336699.tif 000010
【図９】
2007336699.tif 000011
【図１０】
2007336699.tif 000012
【図１１】
2007336699.tif 000013
【図１２】
2007336699.tif 000014
【図１３】
2007336699.tif 000015
【図１４】
2007336699.tif 000016
【図１５】
2007336699.tif 000017
【図１６】
2007336699.tif 000018
【図１７】
2007336699.tif 000019
【図１８】
2007336699.tif 000020